(57)【要約】【課題】  サイズ調節を行う場合に、被覆部材を付け替えることなく、しかも被覆範囲が変化するようなことのない帽子を提供する点にある。【解決手段】  頭頂部を覆うクラウン部に、少なくとも後頭部及び左右の側頭部の一部を覆うことができる寸法に構成された日除け用又は雨除け用又は防寒用の被覆部材４を取り外し不能又は取り外し可能に取り付け、前記クラウン部の後部に、該クラウン部の内径寸法を変更するためのサイズ調節部５を備え、前記被覆部材４に、前記サイズ調節部５によるクラウン部のサイズ変更に伴って伸縮可能な伸縮部６を備えた。【選択図】        図２
2005256195.tif 000002
【特許請求の範囲】
【請求項１】
頭頂部を覆うクラウン部に、少なくとも後頭部及び左右の側頭部の一部を覆うことができる寸法に構成された日除け用又は雨除け用又は防寒用の被覆部材を取り付け、前記クラウン部の後部に、該クラウン部の内径寸法を変更するためのサイズ調節部を備え、前記被覆部材に、前記サイズ調節部によるクラウン部のサイズ変更に伴って伸縮可能な伸縮部を備えたことを特徴とする帽子。
【請求項２】
頭頂部を覆うクラウン部に、少なくとも後頭部及び左右の側頭部の一部を覆うことができる寸法に構成された日除け用又は雨除け用又は防寒用の被覆部材を着脱自在に取り付けるための装着手段を備え、前記クラウン部の後部に、該クラウン部の内径寸法を変更するためのサイズ調節部を備え、前記被覆部材に、前記サイズ調節部によるクラウン部のサイズ変更に伴って伸縮可能な伸縮部を備えたことを特徴とする帽子。
【請求項３】
前記装着手段を、前記クラウン部の下部側内面の前側を除く部位に取り付け、ループ状の多数の係止部からなる雌型の面ファスナーと、前記被覆部材の上部側外面に取り付け、前記ループ状の係止部に係脱可能なフック状の多数の突起部からなる雄型の面ファスナーとから構成してなる請求項２記載の帽子。
【請求項４】
前記装着手段を、前記クラウン部の下端側の縁部に沿って一列状に多数の務歯が取り付けられてなる第１の帯状部材と、前記被覆部材の上端側の縁部に沿って一列状に前記多数の務歯にほぼ対向位置する状態で多数の務歯が取り付けられ、かつ、該両務歯同士を互いに噛み合わせたり離脱させたりして開閉するためのファスナーを備えた第２の帯状部材とから構成してなる請求項２記載の帽子。
【請求項５】
前記伸縮部が、前記被覆部材の左右方向中間部に備えさせた弾性ゴムからなる請求項１〜４のいずれかに記載の帽子。
【請求項６】
前記伸縮部が、前記被覆部材の上端部のほぼ全域に備えさせた弾性ゴムからなる請求項１記載の帽子。
【請求項７】
前記伸縮部が、前記被覆部材の上端部のほぼ全域に備えさせた弾性ゴムからなり、前記装着手段を、前記クラウン部の下部側内面の前側を除く部位に取り付け、ループ状の多数の係止部からなる雌型の面ファスナーと、前記被覆部材の上部側外面に取り付け、前記ループ状の係止部に係脱可能なフック状の多数の突起部からなる雄型の面ファスナーとから構成し、前記２つの面ファスナーを伸縮自在な材料にて構成してなる請求項２記載の帽子。
【請求項８】
前記第１の帯状部材に取り付けられる多数の務歯、前記第２の帯状部材に取り付けられる多数の務歯及びファスナーを合成樹脂にて作製してなる請求項４記載の帽子。
【請求項９】
前記クラウン部の下端の前側に鍔部を備えてなる請求項１〜８のいずれかに記載の帽子。
【発明の詳細な説明】
【技術分野】
【０００１】
本発明は、頭頂部を覆うクラウン部を少なくとも備えた帽子に、日除け用又は雨除け用又は防寒用の被覆部材を取り付けて使用することができる帽子に関するものである。ここで言う帽子は、ヘルメットなどの内側に着用するインナーキャップも含むものとする。
【背景技術】
【０００２】
例えば日差しの強い炎天下などにおいては、帽子に、被覆部材の一例である日除けを取り付けることにより、後方からの日差しや横からの日差しを遮ることができるようにし、又、不要時には、前記日除けを取り外すことができるようにしたものが既に提案されている。（例えば、特許文献１参照）。
【特許文献１】特開平１１−３５０２２７号公報（図１、図２参照）
【発明の開示】
【発明が解決しようとする課題】
【０００３】
上記特許文献１では、複数枚の日除けのそれぞれに雄雌の面ファスナーのうちの一方の面ファスナーを取り付け、かつ、残る他方の面ファスナーを帽子に取り付けることによって、複数枚の日除けを帽子に対して着脱自在に構成している。このように構成することによって、例えば日差しの向きが変わった場合に、日除けを帽子から取り外して日差しの向きとなる位置へ再度取り付けて、日差しを遮ることができるものの、複数枚の日除けを取り外して取り付ける作業を必要とすることから、非常に面倒であった。
又、近年において、帽子のクラウン部の内径を頭の大きさに応じて変更することができるように、クラウン部の後部にサイズ調節部を備えたものがあり、このような帽子に前記日除けを取り付けていると、サイズ調節を行う場合に、クラウン部の後部に位置している日除けを一旦外し、サイズ調節を行った後、再度前記日除けを取り付けなければならず、この場合も非常に面倒なものであった。又、内径を大きくするようにサイズ調節を行う場合に、帽子の大きさに対して日除けのサイズが同じであるため、帽子の大きさに対する日除けを行う範囲が少し狭くなり、頭の大きさによって日除けの範囲も変化してしまい、使用面において不利になる不都合もあり、改善の余地があった。
【０００４】
本発明が前述の状況に鑑み、解決しようとするところは、サイズ調節を行う場合に、被覆部材を付け替えることなく、しかも被覆範囲が変化するようなことのない帽子を提供する点にある。
【課題を解決するための手段】
【０００５】
本発明の帽子は、前述の課題解決のために、頭頂部を覆うクラウン部に、少なくとも後頭部及び左右の側頭部の一部を覆うことができる寸法に構成された日除け用又は雨除け用又は防寒用の被覆部材を取り付け、前記クラウン部の後部に、該クラウン部の内径寸法を変更するためのサイズ調節部を備え、前記被覆部材に、前記サイズ調節部によるクラウン部のサイズ変更に伴って伸縮可能な伸縮部を備えたことを特徴としている。又、頭頂部を覆うクラウン部に、少なくとも後頭部及び左右の側頭部の一部を覆うことができる寸法に構成された日除け用又は雨除け用又は防寒用の被覆部材を着脱自在に取り付けるための装着手段を備え、前記クラウン部の後部に、該クラウン部の内径寸法を変更するためのサイズ調節部を備え、前記被覆部材に、前記サイズ調節部によるクラウン部のサイズ変更に伴って伸縮可能な伸縮部を備えたことを特徴としている。
従って、少なくとも後頭部及び左右の側頭部を覆うことができる寸法に構成された被覆部材を帽子に取り付けておけば、例えばクラウン部の前部に鍔部を備えている帽子の場合には、ほとんどの方向からの日差しを遮ることは勿論のこと、雨を遮ることや防寒対策を実現することができる。しかも、クラウン部のサイズ調節を行った場合でも、被覆部材が伸縮することによって、そのサイズ変更を吸収することができるから、被覆部材を帽子に取り付けたままでのサイズ調節が可能になる。しかも、被覆部材が伸び縮みすることによって、被覆部材の左右両端の位置が変更になることがない。又、前記被覆部材を帽子に対して着脱自在に取り付ける構成の場合には、被覆部材が不要な場合などのときに取り外して帽子のみで使用することができる。尚、前記被覆部材は、前記のように日除け用又は雨除け用又は防寒用などのそれぞれのタイプに変更可能である。
【０００６】
前記装着手段を、前記クラウン部の下部側内面の前側を除く部位に取り付けられ、ループ状の多数の係止部からなる雌型の面ファスナーと、前記被覆部材の上部側外面に取り付けられ、前記ループ状の係止部に係脱可能なフック状の多数の突起部からなる雄型の面ファスナーとから構成してもよい。
【０００７】
前記装着手段を、前記クラウン部の下端側の縁部に沿って一列状に多数の務歯が取り付けられてなる第１の帯状部材と、前記被覆部材の上端側の縁部に沿って一列状に前記多数の務歯にほぼ対向位置する状態で多数の務歯が取り付けられ、かつ、該両務歯同士を互いに噛み合わせたり離脱させたりして開閉するためのファスナーを備えた第２の帯状部材とから構成してもよい。
【０００８】
前記伸縮部を、前記被覆部材の左右方向中間部に備えさせた弾性ゴムから構成してもよい。
【０００９】
前記伸縮部が、前記被覆部材の上端部のほぼ全域に備えさせた弾性ゴムから構成してもよい。
【００１０】
前記伸縮部が、前記被覆部材の上端部のほぼ全域に備えさせた弾性ゴムからなり、前記装着手段を、前記クラウン部の下部側内面の前側を除く部位に取り付け、ループ状の多数の係止部からなる雌型の面ファスナーと、前記被覆部材の上部側外面に取り付け、前記ループ状の係止部に係脱可能なフック状の多数の突起部からなる雄型の面ファスナーとから構成し、前記２つの面ファスナーを伸縮自在な材料にて構成してもよい。
【００１１】
前記第１の帯状部材に取り付けられる多数の務歯、前記第２の帯状部材に取り付けられる多数の務歯及びファスナーを合成樹脂にて作製してもよい。
【００１２】
前記クラウン部の下端の前側に鍔部を備えさせた野球帽タイプであってもよい。
【発明の効果】
【００１３】
少なくとも後頭部及び左右の側頭部の一部を覆うことができる寸法に構成された被覆部材を帽子に取り付けておけば、日除け用は勿論のこと、雨除け用や防寒用の帽子として快適なものに構成することができ、商品価値の高い帽子を提供することができる。しかも、クラウン部のサイズ調節を行った場合に、被覆部材が伸縮することによって、そのサイズ変更を吸収することができるから、被覆部材を帽子に取り付けたままでのサイズ調節が可能になり、伸縮しない被覆部材の場合に、被覆部材を取り外して、再度取り付けるといった作業を全く不要にすることができる取扱面において有利な帽子を提供することができる。しかも、被覆部材が伸び縮みすることによって、頭部の大きさによって被覆する被覆部材の左右両端の位置が変更することがないから、帽子のサイズ変更に伴って帽子のサイズに対して被覆部材の被覆面積が狭くなるようなことがなく、商品価値の高い帽子とすることができる。又、前記被覆部材を帽子に対して着脱自在に取り付ける構成の場合には、被覆部材が不要な場合などのときに取り外して帽子のみで使用することができ、取扱面において有利になるだけでなく、取り外した被覆部材を洗濯したり、取り外した被覆部材を他の被覆部材（新しい被覆部材の他、色や材質あるいは大きさの異なる被覆部材）に取り替えて使用することもできる。
【００１４】
装着手段を、クラウン部の下部側内面の前側を除く部位に取り付け、ループ状の多数の係止部からなる雌型の面ファスナーと、被覆部材の上部側外面に取り付け、ループ状の係止部に係脱可能なフック状の多数の突起部からなる雄型の面ファスナーとから構成することによって、被覆部材の帽子への取り付け及び取り外しを迅速に行うことができる。しかも、雌型の面ファスナーをクラウン部に備えさせる構成とすることによって、被覆部材を取り外して帽子を被る場合に、雄型の面ファスナーをクラウン部に備えさせている場合に比べて、装着感が阻害されるようなことが少なく、快適に被ることができる利点がある。
【００１５】
前記第１の帯状部材に取り付けられる多数の務歯、前記第２の帯状部材に取り付けられる多数の務歯及びファスナーを合成樹脂にて作製することによって、被覆部材付の作製された帽子を金属探知器により針の検査を実施することができる利点がある。例えば務歯及びファスナーを金属にて作製していると、務歯やファスナーを金属探知器が針であると間違えて検出してしまうため、検針を行うことができないのである。
【００１６】
伸縮部を、被覆部材の上端部のほぼ全域に備えさせた弾性ゴムから構成している場合には、取り付けた被覆部材のどの箇所でも伸び縮みすることができ、サイズ調節幅を増大させることができるだけでなく、クラウン部に対する被覆部材の位置が多少ずれていても取り付けが容易に行うことができ、製造面において有利になる。この場合、被覆部材を取り付けるためのクラウン部の取付部（具体的にはビン皮部）を伸び縮み可能な生地（ゴムなど）にて構成しておけば、更にサイズ調節幅を増大させることができる。
【００１７】
伸縮部が、被覆部材の上端部のほぼ全域に備えさせた弾性ゴムからなり、装着手段を、前記クラウン部の下部側内面の前側を除く部位に取り付け、ループ状の多数の係止部からなる雌型の面ファスナーと、被覆部材の上部側外面に取り付け、ループ状の係止部に係脱可能なフック状の多数の突起部からなる雄型の面ファスナーとから構成し、２つの面ファスナーを伸縮自在な材料にて構成することによって、装着した被覆部材のどの箇所でも伸び縮みすることができ、サイズ調節幅を増大させることができるだけでなく、クラウン部に対する被覆部材の位置が多少ずれていても装着が容易に行うことができる。この場合、被覆部材を取り付けるためのクラウン部の取付部（具体的にはビン皮部）を伸び縮み可能な生地（ゴムなど）にて構成しておけば、更にサイズ調節幅を増大させることができる。
【発明を実施するための最良の形態】
【００１８】
図１及び図２に示すように、頭部を覆い被せることができる大きさを有するほぼ半球状のクラウン部１と、このクラウン部１の底部周縁の特定箇所（図では周縁のほぼ１／３を占める箇所であるが、）、つまり前端部分の底部に一端が縫着により連結された鍔部２と、前記クラウン部１の底部内面側に備えるビン皮部３とからなる野球帽タイプの帽子に、後頭部及び左右の側頭部の一部を覆うことにより、日差し除け用又は雨除け用又は防寒用に使用するためのほぼ長方形状の被覆部材４（垂れともいう）を装着手段Ｗを介して着脱自在に取り付けている。ここでは、被覆部材４を後頭部及び左右の側頭部の一部を覆うことができるように左右（水平）方向の寸法を設定し、かつ、肩付近まで覆うことができるように上下（垂直）方向の寸法を設定した大きさの被覆部材４を示したが、鍔部２のところまで延出して、左右の側頭部全域を覆うことができる左右方向の寸法に設定してもよい。又、前記被覆部材４の上下方向の寸法を、図５及び図６で示すように、首の後及び左右の耳を覆うことができるように上下方向の寸法を設定して実施することもできる。又、前記被覆部材４を単一（一枚）のものから構成する他、複数の被覆部材を連結して一体化したものであってもよい。図１及び図２では、被覆部材４が帽子に対して着脱できるものを示しているが、例えば図１０（ａ），（ｂ）に示すように、帽子に被覆部材４を縫着により取り外し不能にしたものであってもよい。この場合、不要時に被覆部材４を、図１０（ｂ）に示すように、帽子のクラウン部１の内側に折り畳むことができるようにしてもよい。又、図１０（ｂ）に示す５は、帯状のゴムであり、クラウン部１の内径寸法（底部外周縁の寸法）を変更するためのサイズ調節部（後述する）を構成している。前記被覆部材４の上端部のほぼ全域に帯状のゴム４Ｇを備えさせ、そのゴム４Ｇを介してクラウン部１の内側に備えているゴム（伸び縮みするものであれば他の材料のものでもよい）でなるビン皮部３（図示せず）に縫着することによって、被覆部材４の上端全域が伸縮する構成とすることができ、その伸縮により寸法誤差などを良好に吸収することができ、製造し易い構成とすることができる。尚、図１０（ａ）に示す４ｇも帯状のゴムであり、大きな耳でも伸びることによってフィットし易いようになっている。
【００１９】
前記クラウン部１は、通気性を有するほぼ三角形状の生地１Ａの６枚（ほぼ同一形状でほぼ同一の大きさのもの）を、それら生地１Ａの繋ぎ目端部が平面視において３つの直線が頭頂部で交差する状態で周方向に沿って配置し、それら３つの直線状に３本の帯板状部材１Ｂをクラウン部１の内面側から振り分けて配置し、縫着により繋ぎ合わせてなっている。前記帯板状部材１Ｂ及び前記ビン皮部３のそれぞれは、吸水性を有すると共に速乾性を有する素材で構成してもよいし、他の素材で構成することもできる。前記被覆部材４も、クラウン部１と同様に通気性を有する素材から構成してもよいし、他の素材から構成することもできる。
前記吸水性を有すると共に速乾性を有する素材としては、例えばポリエステル、ポリアミド、ポリプロピレン、ポリエチレンなどの合成樹脂を用いて繊維状にしたものを用いて実施してもよい。
【００２０】
前記クラウン部１の後部に、該クラウン部１の内径寸法（底部外周縁の寸法）を変更するためのサイズ調節部５を備え、前記被覆部材４に、前記サイズ調節部５によるクラウン部１のサイズ変更に伴って伸縮可能な伸縮部６を備えさせてあり、クラウン部１のサイズ調節を行った場合でも、伸縮部６が伸縮することで、被覆部材４を装着したままでサイズ調節を行うことができるように構成している。
前記伸縮部６は、被覆部材４の左右方向ほぼ中心部分を弛ませた部分４Ｂを形成し、その弛ませた部分４Ｂの上端に図示していない弾性ゴムを配置し、上から縁部を形成するための縁部材１６（被覆部材４と同一素材で構成してもよいし、他の素材であってもよい）にて覆った状態で逢着している。
前記被覆部材４の左右方向ほぼ中心部分を弛ませた部分４Ｂに弾性ゴムを備えさせる構成にすることによって、被覆部材４全体を伸縮性のある素材で構成する場合に比べて、材料費を安く抑えることができるだけでなく、帽子と同一素材のものを被覆部材４に用いることができ、季節に適した帽子に合致した被覆部材４を備えさせることができ、快適性を阻害することなく、被覆部材４を装着することができる利点があるが、、被覆部材４全体を伸縮性のある素材で構成してもよい。
【００２１】
前記サイズ調節部５は、帽子の後側に逆Ｕ字状の切欠きＫを形成し、この切欠きＫを構成する前記ビン皮部３の一端に連結されたバンド７の先端に備えさせたバックル８と、このバックル８に差し込まれて長さ調節を行うために該ビン皮部３の他端に一端が連結された長さ調節用のバンド９とからなり、バックル８に対するバンド９の長さを変更することによりビン皮部３の両端部間の間隔を変更することでサイズ調節を行うことができるようにしている。
図８に示すように、前記バックル８に対して差し込まれる長さ調節用のバンド９の表面に、フック状の多数の突起部とループ状の多数の係止部とを混在させることにより係脱可能な雄雌型の面ファスナー９Ｍを備えさせておけば、バンド９の長さ調節を迅速に行うことができ、好ましい。尚、前記バンド９に単一の面ファスナーを備えさせる他、ループ状の多数の係止部を備えた雌型の面ファスナーとフック状の多数の突起部を備えた雄型の面ファスナーとをバンド９に備えさせて実施することもできる。
【００２２】
前記装着手段Ｗは、前記クラウン部１の下端側の縁部に沿って（切欠きＫ及び鍔部２部分を除いた縁部に沿って）一列状に多数の務歯が取り付けられてなる一対の第１の帯状部材１３，１３と、前記被覆部材４の上端側の縁部に沿って一列状に前記多数の務歯にほぼ対向位置する状態で多数の務歯が取り付けられ、かつ、該両務歯同士を互いに噛み合わせたり離脱させたりして開閉するためのファスナー１４を備えた一対の第２の帯状部材１５，１５とから構成している。従って、ファスナー１４，１４をそれぞれ、第１の帯状部材１３，１３の端に係止させてから後方側へ移動させることにより、第１の帯状部材１３，１３の多数の務歯と第２の帯状部材１５，１５の多数の務歯とを噛み合わせることで、被覆部材４を帽子に装着させることができ、又、装着された被覆部材４を帽子から取り外す場合には、ファスナー１４，１４を前記方向は逆に前方側へ移動させることにより、第１の帯状部材１３，１３の多数の務歯と第２の帯状部材１５，１５の多数の務歯との噛み合いを解除することで、被覆部材４を帽子から取り外すことができるようになっている。
前記務歯及びファスナー１４を合成樹脂で構成することによって、例えば金属探知器により検針を行うことができる利点があるが、場合によっては金属製で構成することもできる。
【００２３】
前記サイズ調節部５を、図３及び図４に示すように構成してもよい。
図３では、一方のビン皮部３の一端に連結されたバンド７の先端に、他方のビン皮部３に連結された長さ調節用のバンド９のバックル８の係止突起８Ａを係止保持するための係止孔１０Ａを備えた係止金具１０を備えさせて、バックル８の係止突起８Ａを図３の紙面方向に押すことにより、係止孔１０Ａから離脱させて両者を係止解除させることができるように構成している。尚、係止解除された係止金具１０に対してバックル８を差し込むことにより、係止突起８Ａが係止孔１０Ａに入り込んで係止保持されることになる。
図４では、一方のビン皮部３の一端に連結されたバンド７の先端に、帽子の底部外面に付設した多数の被噛み合い部を備えた噛み合いレール１１に噛み合う噛み合い部１２Ａを備えたスライダー１２を備えさせ、噛み合い部１２Ａを図の矢印Ｓの方向（図では上方）へ移動させることにより、被噛み合い部からの噛み合い部１２Ａの噛み合いを解除させて、噛み合いレール１１に対するスライダー１２の位置を変更した後、噛み合い部１２Ａから手を離すことで該噛み合い部１２Ａが図示していない付勢手段にて噛み合い側に移動し、その位置に固定されるようになっている。
【００２４】
又、前記サイズ調節部５を、図１１に示すように構成してもよい。
図１０では、帯状のゴムの両端をビン皮部３の両端にそれぞれ縫着により固定したものであるため、ゴム自体の伸縮だけで、サイズ調節を行うようにしたが、図１１では、ゴム（伸び縮みしない材料で構成してもよい）５の一端を一方のビン皮部３の端部のクラウン部１側表面に縫着により固定し、ゴム５の他端の内面側に他方のビン皮部３の端部のクラウン部１側表面に備えさせた雌型（雄型でもよい）の面ファスナー５Ｂに係止する雄型（雌型でもよい）の面ファスナー５Ａを備えさせている。従って、雌型の面ファスナー５Ｂに対する雄型の面ファスナー５Ａの係止位置をビン皮部３の長手方向（図のＬ方向）でずらすことによって、ゴム５の位置を変更することで図１０に比べてクラウン部１のサイズ調節を広範囲に行うことができるようにしている。
【００２５】
前記装着手段Ｗは、図５〜図７に示す構成であってもよい。つまり、クラウン部１の下部側内面の前側及びサイズ調節部５を除く部位に取り付けられ、ループ状の多数の係止部からなる雌型の一対の面ファスナー１７Ｂ，１７Ｂと、被覆部材４の上部側外面に取り付けられ、かつ、前記伸縮部６を除く両側に取り付けられると共にループ状の係止部に係脱可能なフック状の多数の突起部からなる雄型の面ファスナー１７Ａとから構成している。このように構成することによって、前記ファスナータイプのものに比べて、被覆部材４の帽子への取り付け及び取り外しを迅速に行うことができる。しかも、雌型の面ファスナー１７Ｂをクラウン部１に備えさせる構成とすることによって、被覆部材４を取り外して帽子を被る場合に、雄型の面ファスナー１７Ａをクラウン部１に備えさせている場合に比べて、装着感が阻害されるようなことが少なく、快適に被ることができる利点があり、好ましい。
前記帽子に取り付ける側の雌型の面ファスナー１７Ｂ，１７Ｂ（雄型の面ファスナーでもよい）の長さを、被覆部材４に取り付ける雄型の面ファスナー１７Ａ，１７Ａ（雌型の面ファスナーでもよい）の長さよりも長くすることによって、雌型の面ファスナー１７Ｂ，１７Ｂに対して雄型の面ファスナー１７Ａ，１７Ａを係止する位置を変更することができ、帽子に対する被覆部材４の取り付け位置を変更することができる利点があるだけでなく、雌型の面ファスナー１７Ｂ，１７Ｂに対する雄型の面ファスナー１７Ａ，１７Ａを係止する位置が多少ずれたとしても両者を確実に係止させることができる利点もある。尚、雌型の面ファスナー１７Ｂ，１７Ｂの長さと雄型の面ファスナー１７Ａ，１７Ａの長さを同一にした場合や、雄型の面ファスナー１７Ａ，１７Ａの長さを雌型の面ファスナー１７Ｂ，１７Ｂの長さよりも長くした場合でも、雌型の面ファスナー１７Ｂ，１７Ｂに対して雄型の面ファスナー１７Ａ，１７Ａを係止する位置を変更することは可能である。
【００２６】
又、図５に示した帽子は、特に防水用に有利なように防水用の生地で作製された帽子であり、その防水用帽子に装着される被覆部材４は、雨除け用として利用することができるように、防水用帽子と同様に防水用の生地で作製されている。
又、図５で示した帽子は、特に防寒用に有利なように防寒用の帽子として利用することができるように例えば保温性に優れた生地で作製され、その防寒用帽子に装着される被覆部材４も同様に防寒用として利用することができる生地から作製され、首の後及び耳を覆い被せることができる大きさに構成されている。
前記被覆部材４は、日差し除けや雨除けあるいは防寒用などに使用することができるが、その被覆部材４の素材として、夏は涼しく、冬は暖かくコントロールできる素材を用いることによって、一年中快適に利用することができる帽子を構成することができる。前記素材は、モリブデン含有率の高い特殊ステンレス鋼の金属分子を繊維の表面にスパッタリング（熱遮断、紫外線反射素材）加工したものである。このような素材にて構成された被覆部材４は、紫外線を反射して日焼けなどを防ぐだけでなく、赤外線を反射するため、被覆部材４の内側（首や耳を覆う側）の温度が低くなる。しかも、被覆部材４を構成する生地のメッシュの特性により涼しさを保つことができるという利点がある。
【００２７】
図１２には、図５で示した被覆部材４とは別の被覆部材４を示している。つまり、図５では、被覆部材４の左右方向ほぼ中心部分を弛ませた部分４Ｂに弾性ゴムを備えさせる構成としたが、図１２では、被覆部材４の左右方向全域を弛ませた部分４Ｂとし、その弛ませた全域の上端に弾性ゴム（図示せず）を備えさせている。そして、被覆部材４の上部側外面に取り付けられた前記一対の面ファスナー１７Ａ，１７Ａ及び、クラウン部１の下部側内面の前側及びサイズ調節部５を除く部位に取り付けられた前記一対の面ファスナー１７Ｂ，１７Ｂを伸縮自在な材料、例えば弾性ゴムにて構成しており、被覆部材４をクラウン部１に装着する時において被覆部材４の上端全体が伸び縮みすることによって、位置ずれした状態でも装着を容易に行うことができ、又装着後において、被覆部材４の上端が伸縮することによって、サイズ調節幅を増大させることができるようになっている。前記クラウン部１側の面ファスナー１７Ｂ，１７Ｂ（図６参照）を取り付ける取付部であるビン皮部３（図２参照）を伸縮自在な材料（弾性ゴムなど）で構成しておくと、伸縮量を増大させることができる。
【産業上の利用可能性】
【００２８】
本発明に係る帽子は、野球帽などのキャップに適応することができる他、図９に示すように、クラウン部１の底部周縁の全域に渡って鍔部２を備えさせたハットにも適応することができるし、鍔部２の無い帽子にも適応することができる。又、前記帽子の素材及び被覆部材４の素材としては、どのようなものを用いてもよい。
【図面の簡単な説明】
【００２９】
【図１】被覆部材を装着した帽子の斜視図である。
【図２】被覆部材を帽子に装着する直前の状態を示す斜視図である。
【図３】別のサイズ調節部を示す帽子を後側から見た拡大図である。
【図４】別のサイズ調節部を示す帽子を後側から見た拡大図である。
【図５】別の被覆部材を装着する直前の別の帽子の斜視図である。
【図６】別の被覆部材を装着する直前の別の帽子の斜視図である。
【図７】図６で示した被覆部材を装着した帽子の斜視図である。
【図８】別のサイズ調節部を示す帽子を後側から見た拡大図である。
【図９】被覆部材を装着した帽子の斜視図である。
【図１０】取り外しができないように被覆部材を装着した帽子の斜視図であり、（ａ）は被覆部材を使用している使用状態を示し、（ｂ）は被覆部材を帽子の内側に折り畳んだ収納状態を示している。
【図１１】別のサイズ調節部の具体的構成を示す後側から見た要部の斜視図である。
【図１２】別の被覆部材を示す斜視図である。
【符号の説明】
【００３０】
１  クラウン部
１Ｂ  帯板状部材
１Ａ  生地
２  鍔部
３  ビン皮部
４  被覆部材
４Ｂ  部分
５  サイズ調節部
６  伸縮部
７  バンド
８  バックル
８Ａ  係止突起
９  バンド
１０Ａ  係止孔
１０  係止金具
１１  レール
１２  スライダー
１２Ａ  部
１３，１５  帯状部材
１４  ファスナー
１６  縁部材
１７Ｂ  雌型の面ファスナー
１７Ａ  雄型の面ファスナー
Ｓ  矢印
Ｗ  装着手段
【図１】
2005256195.tif 000003
【図２】
2005256195.tif 000004
【図３】
2005256195.tif 000005
【図４】
2005256195.tif 000006
【図５】
2005256195.tif 000007
【図６】
2005256195.tif 000008
【図７】
2005256195.tif 000009
【図８】
2005256195.tif 000010
【図９】
2005256195.tif 000011
【図１０】
2005256195.tif 000012
【図１１】
2005256195.tif 000013
【図１２】
2005256195.tif 000014